(57)【要約】【課題】  本考案は、構造が簡単であり、取扱いや組立が容易であり、保管のために場所をとることがなく、収納スペースを広くとれる収納容器を提供する。【解決手段】  本収納容器Ａは、対向する第１の側壁部１と第２の側壁部２と底部３とからなり、上部が開放された容器本体４と、容器本体４の上部に被せされ、断面略コ字状に延びて形成された蓋体５とを有し、段ボール紙で作られており、容器本体４の第１の側壁部１は、外側に向かって下り勾配に傾斜して形成され、容器本体４の第２の側壁部２の上部には、突出部６が形成され、蓋体５の折曲部５ａは、容器本体４の第１の側壁部１の内壁に当接される。【選択図】  図１
0003127411.tif 000002
【実用新案登録請求の範囲】
【請求項１】
対向する第１の側壁部と第２の側壁部と底部とからなり、上部が開放された容器本体と、前記容器本体の上部に被せされ、平坦部及び折曲部からなる断面略コ字状に延びて形成された蓋体とを有し、段ボール紙で作られた収納容器であって、
前記容器本体の第１の側壁部は、外側に向かって下り勾配に傾斜して形成され、
前記容器本体の第２の側壁部の上部には、突出部が形成され、
前記蓋体の折曲部は、前記容器本体の第１の側壁部の内壁に当接される、
ことを特徴とする収納容器。
【請求項２】
前記蓋体の平坦部には開口孔が形成されていることを特徴とする請求項１に記載の収納容器。
【考案の詳細な説明】
【技術分野】
【０００１】
本考案は、例えば佃煮、惣菜、肉類等を入れた食品用トレー等の物品を収納するために用いられる収納容器に関する。
【背景技術】
【０００２】
一般に、佃煮、惣菜、肉類等を入れた食品用トレー等の物品を収納する収納容器は、積み上げた状態で保管したり、輸送するために使用されており、種々の構造のものが従来から提案されている。
【０００３】
例えば、特許文献１には、対向する第１側壁部と第２側壁部と底部よりなる段ボール箱の容器本体と発泡スチロールよりなる補強部材とを有する容器を積み重ねた多段収納容器であって、容器本体の底部には第１側壁部の両端部に第１透孔を、その中間部位に第２透孔をそれぞれ設け、補強材の上面中央部及び底面両端部に凸部を設けると共に底面中間部には凹部を設け、補強材底面の凸部を容器本体底部の第１透孔に嵌合すると共に補強材底面中間部の凹部と容器本体の底部の第２透孔とで窪みを形成し、下段容器本体の上面にある凸部を窪みに嵌合するようにして多段に積み重ねた多段収納容器が提案されている。
【０００４】
この多段収納容器によれば、発泡スチロールの使用量を削減すると共に段ボール箱の圧縮強度の低下を改良することができる、としている（以下、この技術を従来例という）。
【特許文献１】特開２００５−２４７３５９号公報
【考案の開示】
【考案が解決しようとする課題】
【０００５】
従来例では、段ボールで作られた容器本体の他に、発泡スチロールで作られた補強部材を使用しているので、構造が複雑であり、取扱いや組立が面倒で時間がかかり、保管のために場所をとるという課題があった。
【０００６】
また、容器本体の第１側壁の内面に補強部材の側面が接するように添着しているので、容器本体内の収納スペースが狭くなり、収納できる物品の数が制限されるという課題があった。
【０００７】
本考案は、上記課題を解決するためになされたものであり、構造が簡単であり、取扱いや組立が容易であり、保管のために場所をとることがなく、収納スペースを広くとれる収納容器を提供することを目的とする。
【課題を解決するための手段】
【０００８】
本考案は、対向する第１の側壁部と第２の側壁部と底部とからなり、上部が開放された容器本体と、前記容器本体の上部に被せされ、平坦部及び折曲部からなる断面略コ字状に延びて形成された蓋体とを有し、段ボール紙で作られた収納容器であって、前記容器本体の第１の側壁部は、外側に向かって下り勾配に傾斜して形成され、前記容器本体の第２の側壁部の上部には、突出部が形成され、前記蓋体の折曲部は、前記容器本体の第１の側壁部の内壁に当接されることを特徴とするものである。
【０００９】
前記蓋体の平坦部には開口孔が形成されていてもよい。
【考案の効果】
【００１０】
請求項１に係る収納容器によれば、容器本体及び蓋体が段ボール紙で作られているので、平らな状態に折り畳むことができる。その結果、保管する際に場所をとらず、在庫スペースを狭くできる。
【００１１】
また、構造が簡単であるので、取扱いや組立が容易であり、製型や印刷も簡単にできる。
【００１２】
また、蓋体を容器本体の上部に被せるだけであるので、作業が容易である。
【００１３】
また、蓋体の折曲部が、傾斜した第１の側壁部の内壁に当接されるので、容器本体の第１の側壁部の強度を増すことができる。
【００１４】
また、容器本体の第２の側壁部には蓋体が当接しないので、物品の収納スペースを広くとることができる。
【００１５】
さらに、容器本体を複数段に積み上げる場合、下段の容器本体の突出部の間に上段の容器本体の第２の側壁部が当接するので、横ずれを防止でき、積み上げた状態が安定化する。
【００１６】
請求項２に係る収納容器によれば、開口孔により、蓋体を容器本体に被せた状態であっても、容器本体の中に収納している物品を見ることができ、また、蓋体を外す際に、指が引っ掛かりやすくなる。
【考案を実施するための最良の形態】
【００１７】
以下、本考案の実施の形態について図面を参照して説明する。図１は本考案の実施形態例に係る収納容器を示す分解斜視図、図２（Ａ）は本考案の実施形態例に係る収納容器の容器本体を示す展開図、（Ｂ）は蓋体を示す展開図、図３は本考案の実施形態例に係る収納容器を示す正面断面図、図４は本考案の実施形態例に係る収納容器を示す平面図、図５は本考案の実施形態例に係る収納容器を積み重ねた状態を示す説明図である。
【００１８】
本考案の実施形態例に係る収納容器Ａは、例えば佃煮、惣菜、肉類等を入れた食品用トレー等の物品を収納して保護するために用いられ、図１及び図４に示すように、対向する第１の側壁部１，１と第２の側壁部２，２と底部３からなり、上部が開放された容器本体４と、容器本体４の上部に被せされ、平坦部５ｂ及び折曲部５ａ,５ａからなる断面略コ字状に延びて形成された蓋体５とを有する。
【００１９】
容器本体４及び蓋体５は、通常の段ボール紙で作られており、図２（Ａ）及び（Ｂ）に示すように展開して、平らな状態に折り畳むことができる。
【００２０】
組み立てる時は、自動又は手動で第２の側壁部２の両端部をホチキス２ａ等で止めて行われる。
【００２１】
図３に示すように、容器本体４の第１の側壁部１は、外側に向かって所定角度θで下り勾配に傾斜して形成されている。蓋体５の両辺の折曲部５ａは、傾斜した第１の側壁部１の内壁に当接される。これによって、容器本体４の第１の側壁部１の強度を増すことができる。
【００２２】
また、容器本体４の第２の側壁部２の上部には、略長方形状の突出部６が形成されている。図５に示すように、容器本体４を複数段に積み上げる場合、下段の容器本体４の突出部６の間に上段の容器本体４の第２の側壁部２が当接するので、横ずれを防止でき、積み上げた状態が安定化する。
【００２３】
図６は本考案の実施形態例に係る収納容器Ａの蓋体５の変形例を示す展開図である。
【００２４】
図６に示すように、蓋体５の平坦部５ｂに１以上の開口孔５ｃが形成されていてもよい。この開口孔５ｃにより、蓋体５を容器本体４に被せた状態であっても、容器本体４の中に収納している物品を見ることができ、また、蓋体５を外す際に、指が引っ掛かりやすくなる。
【００２５】
本考案の実施形態例に係る収納容器Ａによれば、容器本体４及び蓋体５が段ボール紙で作られているので、平らな状態に折り畳むことができる。その結果、保管する際に場所をとらず、在庫スペースを狭くできる。
【００２６】
また、構造が簡単であるので、取扱いや組立が容易であり、製型や印刷も簡単にできる。
【００２７】
また、蓋体５を容器本体４の上部に被せるだけであるので、作業が容易である。
【００２８】
また、蓋体５の折曲部５ａが、傾斜した第１の側壁部１の内壁に当接されるので、容器本体４の第１の側壁部１の強度を増すことができる。
【００２９】
また、容器本体４の第２の側壁部２には蓋体５が当接しないので、物品の収納スペースを広くとることができる。
【００３０】
さらに、容器本体４を複数段に積み上げる場合、下段の容器本体４の突出部６の間に上段の容器本体４の第２の側壁部２が当接するので、横ずれを防止でき、積み上げた状態が安定化する。
【００３１】
本考案は、上記実施例に限定されることはなく、実用新案登録請求の範囲に記載された技術的事項の範囲内において、種々の変更が可能である。
【図面の簡単な説明】
【００３２】
【図１】本考案の実施形態例に係る収納容器を示す分解斜視図である。
【図２】（Ａ）は本考案の実施形態例に係る収納容器の容器本体を示す展開図、（Ｂ）は蓋体を示す展開図である。
【図３】本考案の実施形態例に係る収納容器を示す正面断面図である。
【図４】本考案の実施形態例に係る収納容器を示す平面図である。
【図５】本考案の実施形態例に係る収納容器を積み重ねた状態を示す説明図である。
【図６】本考案の実施形態例に係る収納容器の蓋体の変形例を示す展開図である。
【符号の説明】
【００３３】
Ａ：収納容器
１：第１の側壁部
２：第２の側壁部
３：底部
４：容器本体
５：蓋体
５ａ：折曲部
５ｂ：平坦部
５ｃ：開口孔
６：突出部
【図１】
0003127411.tif 000003
【図２】
0003127411.tif 000004
【図３】
0003127411.tif 000005
【図４】
0003127411.tif 000006
【図５】
0003127411.tif 000007
【図６】
0003127411.tif 000008